(57)【要約】【課題】  ケーシングの回転圧入途中において排土作業を行うことなく、無排土にてケーシングを圧入することを可能とする。【解決手段】  ケーシングヘッド１の下端面に複数の切削刃２，２・・・を突設し、それらの切削刃２，２・・・がその内外側面をヘッド下端面から見て、外側面先端がほぼヘッド外周縁上もしくはそれより若干外方へ張り出すと共に内側面後端がほぼヘッド下端開口内縁上より若干内方へ張り出し、内側面がケーシングヘッド１の回転方向と反対方向に倒伏傾斜し、且つケーシングヘッド１の下端面にほぼ垂直の傾斜押圧面３，３・・・に形成すると共に上記傾斜押圧面３，３・・・の下端縁を切削エッジに形成したケーシングヘッド１によりケーシングＡ，Ａ・・・内周側へ切削土砂を圧密することを特徴とする。【選択図】  図１
2005127109.tif 000002
【特許請求の範囲】
【請求項１】
回転駆動装置から回転を伝達されるケーシングの下端に同心的に接続された両端開口の円筒状ケーシングヘッドにおいて、上記ケーシングヘッドの下端面に複数の切削刃を突設し、それらの切削刃がその内外側面をヘッド下端面から見て、外側面先端がほぼヘッド外周縁上もしくはそれより若干外方へ張り出すと共に内側面後端がほぼヘッド下端開口内縁上より若干内方へ張り出し、内側面がケーシング回転方向と反対方向に倒伏傾斜し、且つヘッド下端面にほぼ垂直の傾斜押圧面に形成すると共に上記傾斜押圧面の下端縁を切削エッジに形成することを特徴とする無排土回転圧入用ケーシングヘッド。
【請求項２】
回転駆動装置から回転を伝達されるケーシング回転圧入方法において、ケーシング内周側へ切削土砂を圧密させる傾斜押圧面を有するケーシングヘッド下端に突設された切削刃により、ケーシングの回転圧入を行うことを特徴とするケーシング無排土回転圧入方法。
【発明の詳細な説明】
【技術分野】
【０００１】  本発明は、下水道等を非開削で敷設する推進工法における発進、到達立坑構築用などで地中に無排土で回転圧入するケーシングのケーシングヘッドに関する。
【背景技術】
【０００２】  従来、立坑構築工法等において、鋼製もしくはＲＣケーシングＡを１〜２ｍ程度回転圧入させて、一旦停止し、次にクラムシェルバケットＣなどでケーシングＡ内の土砂を排出し、その後再度ケーシングＡ，Ａ・・・を圧入するという断続的な切削方式を取っていた。これはケーシングＡを回転圧入する際、図２に従来のケーシングヘッド１’の略図を示したように、ケーシングヘッド１’の切削刃２’がケーシングヘッド１’の内外周と同径のため、ケーシングＡの直径程度の深さまで圧入するとケーシング内の土砂がケーシングＡとの摩擦で共回りし、ケーシングヘッド１’の断面で圧入することとなり、即ちケーシングＡの先端を閉塞させ、ケーシングＡの圧入が困難となるためであった。【０００３】  そのため、ケーシング回転圧入用施工機Ｂと中掘機の段取り替えによるロスタイムの発生、ケーシング圧入用施工機Ｂを設置したまま、その上から中掘するための中掘切削能率の低下などがあった。尚、図３に回転圧入施工機ＢとクラムシェルバケットＣとを配した施工例図を示した。【０００４】  そこで、ケーシングＡ内壁面に沿って管体等を縦設し、ケーシングＡを土中に回転圧入する過程において、管体から圧力空気等を噴出させ、ケーシングＡの内壁付近全周にわたって土砂を緩めた粗密帯を形成させることでケーシングＡを圧入時における抵抗を軽減し、ケーシングＡを予定深さまで無排土圧入する方法が提案された。（特許文献１参照）
【特許文献１】  特開平１０−１４８０８０
【発明の開示】
【発明が解決しようとする課題】
【０００５】  しかしるに、特許文献１の方法では縦設された管体から圧力空気等を噴出させる装置等が別途必要であり、操作も煩雑になる。【０００６】  本発明はケーシングの回転圧入途中において排土作業を行うことなく、無排土にてケーシングを圧入する方法及び装置を提供することにある。
【課題を解決しようとする手段】
【０００７】  上記課題を解決する手段として本発明は、ケーシングヘッドの下端面に複数の切削刃を突設し、それらの切削刃がその内外側面をヘッド下端面から見て、外側面先端がほぼヘッド外周縁上もしくはそれより若干外方へ張り出すと共に内側面後端がほぼヘッド下端開口内縁上より若干内方へ張り出し、内側面がケーシング回転方向と反対方向に倒伏傾斜し、且つヘッド下端面にほぼ垂直の傾斜押圧面に形成すると共に上記傾斜押圧面の下端縁を切削エッジに形成したケーシングヘッドによりケーシング内周側へ切削土砂を圧密することを特徴とする無排土回転圧入用ケーシングヘッドおよびケーシング無排土回転圧入方法にある。
【発明の効果】
【０００８】  切削土砂を内周側へ圧密させて圧入させるため、ケーシング内周側の孔壁を自立させることができケーシング内周面とケーシングの摩擦が切れ、共回りし難くなるので従来法に比較してより深くまでケーシングのみの回転圧入が可能となる。またこの方法の場合、ケーシング板厚体積分のみとはいえ外周方向への土砂圧密を行わないので周辺地盤、地中埋設物への影響がない。
【０００９】  このため、予定圧入深さまでケーシングを回転圧入することができ、その後ケーシング回転圧入機を退避させ、中掘することができるので段取り替えによるロスタイムが発生しなくなる。また、ケーシング圧入機が設置されていない状態での中掘となるため中掘切削能率の低下もない。
【発明を実施するための最良の形態】
【００１０】  以下、本発明を実施するための最良の形態を図面に基き説明する。図１は、本発明に係わるケーシングＡ，Ａ・・・を無排土にて回転圧入するためのケーシングヘッド１の一実施形態を示している。このケーシングヘッド１は下端面に１２個の切削刃２，２・・・が均等間隔で突設され、それら切削刃２，２・・・がその内外側面をケーシングヘッド１下端面から見て、外側面先端（最外周Ｒ４）がケーシングヘッド１外周縁上（外周Ｒ２）より若干外方へ張り出す（Ｒ４＞Ｒ２）と共に内側面後端（最内周Ｒ３）がケーシングヘッド１下端開口内縁上（内周Ｒ１）より若干内方へ張り出し（Ｒ３＜Ｒ１）、内側面がケーシングヘッド１回転方向と反対方向に倒伏傾斜し、且つケーシングヘッド１下端面にほぼ垂直の傾斜押圧面３，３・・・が形成され、その傾斜押圧面３，３・・・の下端縁が切削エッジ４，４・・・に形成されている。【００１１】  そして、上記本発明の一実施例の如き切削刃２により、ケーシングヘッド１内周側へ切削土砂を圧密させ、従来法に比較してより深くまでケーシングＡ，Ａ・・・（ケーシングヘッド１と内外周同径）のみの回転圧入を可能とする。
【実施例】
【００１２】  図３と同様に、回転圧入施工機Ｂを所定場所に設置し、該回転圧入施工機Ｂに先ずケーシングヘッド１を装着して回転圧入を行い、次いで圧入されたケーシングヘッド１の上端に鋼管ケーシングＡの下端を、軸芯を一致させて接続してケーシングＡ，Ａ・・・を該回転圧入施工機Ｂにより順次回転させながら圧入していく。【００１３】  この時、ケーシングヘッド１の下端では、まず切削刃２，２・・・のエッジ４，４・・・によってケーシングヘッド１の外径Ｒ２より若干外径Ｒ４の大きい範囲にわたって切削され、その切削土砂は傾斜押圧面３，３・・・に沿って内方へ押出され該傾斜押圧面３，３・・・により上記の内方へ押出され、最小内径Ｒ３がケーシングヘッド１の内径Ｒ１よりも若干小さい傾斜押圧面３，３・・・後端に押し付けられ固められて行くこととなる。【００１４】  このため、ケーシングヘッド１及びケーシングＡ，Ａ・・・内周側と内周土壌側に空間ができ、即ちケーシングヘッド１及びケーシングＡ，Ａ・・・内周側の孔壁を自立させることができるので、ケーシングヘッド１及びケーシングＡ，Ａ・・・内周面とケーシングヘッド１及びケーシングＡ，Ａ・・・との摩擦が切れ、共回りし難くなる。このため、従来法に比較してより深くまでケーシングＡ，Ａ・・・を圧入することができる。【００１５】  そして、ケーシングＡ，Ａ・・・の回転圧入が予定圧入深さまで達した時、回転圧入を停止し、ケーシング回転圧入用施工機Ｂと中掘機の段取り替えを行い、クラムシェルバケットＣなどでケーシングＡ，Ａ・・・内の土砂を排出する。【００１６】  こうして、段取り替えによるロスタイムが発生せず、またケーシング圧入機Ｂが設置されていない状態での中掘となるため中掘切削能率の低下もなく立坑の構築が行えることとなる。
【図面の簡単な説明】
【００１７】
【図１】本発明のケーシングヘッドの底面図（１−１）及び側面図（１−２）。
【図２】従来のケーシングヘッドの底面図（２−１）及び側面図（２−２）。
【図３】回転圧入施工機とクラムシェルバケットとを配した施工図。
【符号の説明】
【００１８】  １，１’  ケーシングヘッド
２，２’  切削刃
３  傾斜押圧面
４  エッジ
Ａ  ケーシング
Ｂ  回転圧入施工機
Ｃ  クラムシェルバケット
Ｒ１  ケーシングヘッド及びケーシング内周
Ｒ２  ケーシングヘッド及びケーシング外周
Ｒ３  切削刃最内周
Ｒ４  切削刃最外周
【図１】
2005127109.tif 000003
【図２】
2005127109.tif 000004
【図３】
2005127109.tif 000005